(57)【要約】【課題】施工性を向上させた照明器具を提供する。【解決手段】実施形態によれば、光源が設けられた基板を支持する支持体と、前記支持体に支持された前記基板を覆うカバーと、を有する光源モジュールと；それぞれが異なる形状のトーションバネからなり、前記支持体の前記基板を支持する側とは反対側に設けられた一対の弾性体と；前記一対の弾性体により前記光源モジュールを取り付ける取付金具を有する器具本体と；を備えた照明器具が提供される。【選択図】図１２
2020074349.tif 000002
【特許請求の範囲】
【請求項１】
一対の端部、この端部から延在する一対の当接部、一対の端部から離間する方向で一対の当接部を連結する先端部を有する線ばねと；
前記線ばねの先端を引掛ける掛止部および前記当接部を挿入可能な挿入孔を有する取付金具と；
を具備しており、前記一対の当接部間の幅は、前記一対の端部間の幅より広くなっていることを特徴とするばね装置。
【請求項２】
前記一対の当接部は、それぞれ、一対の端部が取り付けられる取付面から離間する方向に湾曲していることを特徴とする請求項１記載のばね装置。
【請求項３】
前記取付金具の掛止部の両側には、前記挿通孔と連続する一対の凹状部が形成されていることを特徴とする請求項１または２記載のばね装置。
【請求項４】
器具本体と；
前記器具本体に装着される光源ユニットと；
前記器具本体および光源ユニットのいずれか一方に前記取付金具が取り付けられる請求項１ないし３いずれか一記載のばね装置と；
前記器具本体および前記光源ユニットのいずれか他方に取り付けられる請求項１ないし３いずれか一記載の取付金具と；
を具備することを特徴とする照明器具。
【発明の詳細な説明】
【技術分野】
【０００１】
本発明の実施形態は、照明器具に関する。
【背景技術】
【０００２】
天井に取り付けられて室内を照明する照明器具がある。照明器具は、光源モジュールと、この光源モジュールを収容する器具本体と、を有する。光源モジュールは、金具等を用いて器具本体に着脱自在に取り付けられる。このような照明器具において、施工性の向上が望まれる。
【先行技術文献】
【特許文献】
【０００３】
【特許文献１】特開２０１４−７８４２６号公報
【発明の概要】
【発明が解決しようとする課題】
【０００４】
本発明の実施形態は、施工性を向上させたばね装置および照明器具を提供する。
【課題を解決するための手段】
【０００５】
本発明の実施形態によれば、一対の端部、この端部から延在する一対の当接部、一対の端部から離間する方向で一対の当接部を連結する先端部を有する線ばねと；前記線ばねの先端を引掛ける掛止部および前記当接部を挿入可能な挿入孔を有する取付金具と；を具備しており、前記一対の当接部間の幅は、前記一対の端部間の幅より広くなっていることを特徴とするばね装置が提供できる。
【発明の効果】
【０００６】
本発明の実施形態によれば、施工性を向上させた照明器具を提供することができる。
【図面の簡単な説明】
【０００７】
【図１】第１実施形態の照明器具の模式的斜視図である。
【図２】第１実施形態の照明器具の一部の模式的斜視図である。
【図３】図３（ａ）及び図３（ｂ）は、第１実施形態の照明器具の一部の模式的斜視図である。
【図４】第１実施形態の照明器具の一部の模式的分解斜視図である。
【図５】第１実施形態の照明器具の内部を示す図である。
【図６】図６（ａ）及び図６（ｂ）は、器具本体の一部を示す図である。
【図７】図７（ａ）及び図７（ｂ）は、照明器具に加わる力を説明する図である。
【図８】図８（ａ）及び図８（ｂ）は、光源モジュールの一部を説明する図である。
【図９】光源モジュールと器具本体との取り付けを説明する図である。
【図１０】光源モジュールと器具本体との取り付けを説明する図である。
【図１１】図１１（ａ）〜図１１（ｃ）は、光源モジュールと器具本体との取り付けを説明する図である。
【図１２】第２実施形態の照明器具の側面図である。
【図１３】第２実施形態の照明器具の側面図である。
【図１４】第２実施形態の照明器具の内部を示す図である。
【図１５】図１５（ａ）〜図１５（ｃ）は、器具本体の一部を示す図である。
【図１６】器具本体の一部を説明する図である。
【図１７】図１７（ａ）及び図１７（ｂ）は、光源モジュールの一部を説明する図である。
【図１８】図１８（ａ）〜図１８（ｃ）は、光源モジュールと器具本体との取り付けを説明する図である。
【図１９】第２実施形態の照明器具の内部を示す図である。
【図２０】器具本体の一部を示す図である。
【図２１】図２１（ａ）及び図２１（ｂ）は、光源モジュールの一部を説明する図である。
【図２２】光源モジュールと器具本体との取り付けを説明する図である。
【図２３】図２３（ａ）〜図２３（ｃ）は、光源モジュールと器具本体との取り付けを説明する図である。
【発明を実施するための形態】
【０００８】
実施形態に係る発明は、光源が設けられた基板を支持する支持体と、前記支持体に支持された前記基板を覆うカバーと、を有する光源モジュールと；それぞれが異なる形状のトーションバネからなり、前記支持体の前記基板を支持する側とは反対側に設けられた一対の弾性体と；前記一対の弾性体により前記光源モジュールを取り付ける取付金具を有する器具本体と；を備えたことを特徴とする照明器具である。
この照明器具によれば、施工性を向上させることができる。
【０００９】
また、前記取付金具は、前記器具本体に固定するネジ止め部を有する第１板と、前記弾性体が挿通する挿通孔、及び、前記挿通孔と一体に設けられ前記弾性体が掛止する掛止部を有する第２板と、を有し、前記第１板は、少なくとも一部が前記第２板に接触し、前記
第２板に対して所定の角度で設けられ、前記ネジ止め部は、前記第１板の中心より前記第２板側に設けられていることを特徴とする照明器具である。
この照明器具によれば、取付金具の変形を抑制することができる。これにより、施工性を向上させることができる。
【００１０】
また、前記器具本体は、一対の前記取付金具を有し、前記一対の弾性体の一方は、前記光源モジュールの長手方向の一端に設けられ、前記器具本体の長手方向の一端に設けられた前記一対の取付金具の一方に掛止し、前記一方の取付金具は、前記一方の弾性体の先端を引っ掛けて掛止する掛止片を有することを特徴とする照明器具である。
この照明器具によれば、施工性を向上させることができる。
【００１１】
また、前記一対の弾性体の他方は、前記光源モジュールの長手方向の他端に設けられ、前記器具本体の長手方向の他端に設けられた前記一対の取付金具の他方に掛止し、前記他方の取付金具は、前記他方の弾性体の先端が挿通する挿通孔と、前記挿通孔と一体に設けられ前記他方の弾性体が掛止する掛止部と、を有することを特徴とする照明器具である。
この照明器具によれば、施工性を向上させることができる。
【００１２】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１３】
（第１実施形態）
図１は、第１実施形態の照明器具の模式的斜視図である。
図２は、第１実施形態の照明器具の一部の模式的斜視図である。
図３（ａ）及び図３（ｂ）は、第１実施形態の照明器具の一部の模式的斜視図である。
図４は、第１実施形態の照明器具の一部の模式的分解斜視図である。
図２は、器具本体１０を取り外した状態を示している。図３（ａ）及び図３（ｂ）は、光源モジュール２０を取り外した状態を示している。図４は、図３（ａ）の光源モジュール２０の分解斜視図である。
【００１４】
図１に表すように、照明器具１００は、器具本体１０と、光源モジュール２０と、を備える。照明器具１００は、光源モジュール２０を下方に向けた状態で室内の天井面に取り付けられる。器具本体１０がネジ等によって天井面に取り付けられる。器具本体１０は、光源モジュール２０の支持に用いられるとともに、天井などの取付対象への照明器具１００の取り付けに用いられる。照明器具１００は、室内に光を照射する。なお、照明器具１００は、天井面に限ることなく、例えば、壁面などに取り付けても良い。また、複数の照明器具１００を連結させても良い。
【００１５】
図２に表すように、器具本体１０は、筐体１１と、取付金具１４と、電源回路１５と、端子台１６と、を備える。また、筐体１１は、反射板１２と、端板１３と、を備える。
【００１６】
筐体１１は、光源モジュール２０の一部を収容するための凹部１１ａを有する。また、筐体１１には、照明器具１００を天井面などに取り付けるための金具（例えば、ネジ）や電源回路１５に電力を供給する電源ケーブルなどを通すための複数の開口が設けられる。
【００１７】
筐体１１には、鉄、アルミニウム、または、ステンレスなどの金属材料が用いられる。筐体１１に金属材料を用いることにより、器具本体１０の耐久性を高めることができる。
筐体１１には、樹脂材料を用いても良い。
【００１８】
反射板１２は、光源モジュール２０内の光源２６から照射された光を反射する。反射板１２によって反射された光は、照明器具１００の下方に向かう。
端板１３は、反射板１２の長手方向の両端に設けられている。筐体１１の凹部１１ａは、反射板１２及び端板１３に囲まれた部分である。
【００１９】
取付金具１４は、ネジ止めなどにより、筐体１１の凹部１１ａ内に取り付けられる。取付金具１４は、光源モジュール２０の保持部材２３に設けられた弾性体４０と掛止し、筐体１１の凹部１１ａから抜ける方向への移動を規制する。取付金具１４には、筐体１１と同様の金属材料が用いられる。器具本体１０には、保持部材２３に対応して複数の取付金具１４が設けられる。この例では、２つの取付金具１４が設けられる。取付金具１４の数は、任意で良い。取付金具１４の数は、１つでも良いし、３つ以上でも良い。
【００２０】
２つの取付金具１４が器具本体１０に設けられる場合、例えば、取付金具１４は、器具本体１０の長手方向の両端近傍に設けられる。また、保持部材２３の位置、及び、弾性体４０の形状等に基づいて、取付金具１４の位置を決めることができる。
【００２１】
電源回路１５は、外部から供給される電力を光源モジュール２０に対応した電圧または電流に変換して、光源モジュール２０に供給する。光源モジュール２０は、電源回路１５からの電力供給に応じて光源２６を点灯させ、光を照射する。電源回路１５は、照明器具１００とは別に設けても良い。
【００２２】
端子台１６は、外部の電源と電源回路１５との間の電気的な接続や、電源回路１５と各光源２６との間の電気的な接続に用いられる。電源回路１５及び端子台１６は、ネジ止めなどにより、筐体１１の凹部１１ａ内に取り付けられる。
【００２３】
図３及び図４に表すように、光源モジュール２０は、支持体２１と、カバー２２と、保持部材２３と、側板２４と、基板２５と、光源２６と、を備える。支持体２１は、第１面２１ａと、第１面２１ａと反対側の第２面２１ｂと、を有する。基板２５は、第１面２５ａと、第１面２５ａと反対側の第２面２５ｂと、を有する。
【００２４】
支持体２１は、光源２６が設けられた基板２５を支持する。支持体２１の第１面２１ａと、基板２５の第２面２５ｂと、が対向するように、支持体２１は、基板２５を支持する。基板２５は、接着などによって支持体２１に固定しても良い。また、基板２５は、ネジ止めなどによって着脱可能に支持体２１に取り付けても良い。支持体２１は、基板２５を着脱可能に支持しても良い。側板２４の取り付け方向から見た支持体２１の形状は、略Ｕ字状である。
【００２５】
カバー２２は、支持体２１に取り付けられ、支持体２１上の基板２５に設けられた光源２６を覆う。カバー２２は、外力や塵埃などから光源２６を保護する。カバー２２は、光透過性を有する。カバー２２は、光源２６の放出する光に対して光透過性である。カバー２２は、透明である。カバー２２は、光拡散性を有しても良い。カバー２２には、光透過性の樹脂材料が用いられる。
【００２６】
保持部材２３は、カバー２２を支持体２１に保持する。つまり、保持部材２３は、カバー２２を支持体２１から外れないようにする。光源モジュール２０には、複数の保持部材２３が設けられる。複数の保持部材２３は、支持体２１の第２面２１ｂに設けられる。この例では、２つの保持部材２３が設けられる。保持部材２３の数は、任意で良い。保持部材２３の数は、１つでも良いし、３つ以上でも良い。
【００２７】
２つの保持部材２３が光源モジュール２０に設けられる場合、例えば、保持部材２３は、光源モジュール２０の長手方向の両端近傍に設けられる。また、取付金具１４の位置、及び、弾性体４０の形状等に基づいて、保持部材２３の位置を決めることができる。
【００２８】
保持部材２３には、例えば、鉄、アルミニウム、または、ステンレスなどの金属材料が用いられる。保持部材２３には、例えば、樹脂材料などを用いてもよい。但し、保持部材２３には、上記のような金属材料を用いることが好ましい。これにより、例えば、保持部材２３の耐久性を向上させることができる。また、保持部材２３は、例えば、１枚の板材料から形成される。これにより、例えば、部品点数を削減することができる。例えば、光源モジュール２０のコストを抑えることができる。例えば、保持部材２３に樹脂材料を用いる場合、保持部材２３は、射出成形などによって形成された１つの部品であることが好ましい。
【００２９】
側板２４は、カバー２２の長手方向の両端に設けられている。側板２４の形状は、略扇形状である。
【００３０】
基板２５には、光源２６が設けられている。基板２５には、例えば、複数の光源２６が設けられる。各光源２６は、基板２５の第１面２５ａに並べて配置される。光源２６の数は、任意で良い。光源２６の数は、例えば、１つでも良い。
【００３１】
光源２６には、例えば、発光ダイオード（Light Emitting Diode：ＬＥＤ）が用いられる。光源２６は、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでも良い。光源２６は、電球などでも良い。
【００３２】
図５は、第１実施形態の照明器具の内部を示す図である。
図６（ａ）及び図６（ｂ）は、器具本体の一部を示す図である。
図７（ａ）及び図７（ｂ）は、照明器具に加わる力を説明する図である。
図８（ａ）及び図８（ｂ）は、光源モジュールの一部を説明する図である。
図９は、光源モジュールと器具本体との取り付けを説明する図である。
図１０は、光源モジュールと器具本体との取り付けを説明する図である。
【００３３】
図５は、端板１３側からみた照明器具１００の内部であって、器具本体１０の取付金具１４が光源モジュール２０の保持部材２３に弾性体４０によって取り付けられている状態を示している。図６（ａ）及び図６（ｂ）は、取付金具１４の正面図及び上面図をそれぞれ示している。図７（ａ）及び図７（ｂ）は、弾性体４０が取付金具１４に掛止している状態の側面図をそれぞれ示している。
【００３４】
図８（ａ）及び図８（ｂ）は、保持部材２３に設けられた弾性体４０の上面図及び斜視図をそれぞれ示している。図９は、弾性体４０が取付金具１４に掛止している状態の斜視図を示している。図１０は、弾性体４０が取付金具１４に掛止している状態の側面図を示している。なお、図９において、取付金具１４を固定する反射板１２を図示していない。
【００３５】
図５に表すように、反射板１２は、例えば、一枚の板金から形成されている。反射板１２は、複数の屈曲部１２ｆを有する。凹部１１ａは、複数の屈曲部１２ｆの一部によって形成される。例えば、取付金具１４は、ネジ１４ｓを用いて反射板１２に固定される。
【００３６】
保持部材２３は、把持部３０と、固定部３１と、を有する。把持部３０は、固定部３１
の両端に設けられる。把持部３０は、支持体２１の一端と、カバー２２と、を挟んで把持する。支持体２１の一端は、湾曲している。
【００３７】
把持部３０は、例えば、板バネ状であり、支持体２１及びカバー２２を挟むことにより、カバー２２の係合が解除されてしまうことを抑制する。保持部材２３は、把持部３０で挟むことにより、カバー２２の開きを抑制する。このように、保持部材２３は、支持体２１に取り付けられ、カバー２２を支持体２１に保持する。また、把持部３０には、抑え部３０ａが設けられている。抑え部３０ａは、支持体２１の一端とカバー２２とを挟む部分である。
【００３８】
固定部３１には、弾性体４０が設けられている。弾性体４０は、例えば、トーションバネである。弾性体４０は、連結した２つのトーションバネである。弾性体４０の一部（当接部４０ｆ）が取付金具１４の一部（掛止部１４ａ）に掛止されることで取付金具１４が保持部材２３に取り付けられる。これにより、光源モジュール２０が器具本体１０に取り付けられる。
【００３９】
図６（ａ）に表すように、取付金具１４は、掛止部１４ａと、突出部１４ｂと、を有する。例えば、取付金具１４は、反射板１２に接触する略矩形状の第１板１４Ｐ１と、第１板１４Ｐ１上に設けられる略凸状の第２板１４Ｐ２と、第２板１４Ｐ２の対向する両辺に設けられる第３板１４Ｐ３と、を組み合わせて形成される。第２板１４Ｐ２は、第１板１４Ｐ１に対して所定の角度で設けられ、第３板１４Ｐ３は、第２板１４Ｐ２に対して所定の角度で設けられる。例えば、第２板１４Ｐ２は、第１板１４Ｐ１に対して略垂直に設けられ、第３板１４Ｐ３は、第２板１４Ｐ２に対して略垂直に設けられる。取付金具１４は、複数の板を組み合わせて形成されることに限ることなく、１枚の板から形成されても良い。
【００４０】
また、取付金具１４の第２板１４Ｐ２の中央には、挿通孔１４ｏが設けられている。例えば、挿通孔１４ｏの形状は、略矩形状である。
【００４１】
掛止部１４ａは、第２板１４Ｐ２の一部であって弾性体４０を掛止する部分である。例えば、掛止部１４ａは、略矩形状を有する。取付金具１４において、掛止部１４ａと、挿通孔１４ｏと、が第２板１４Ｐ２上に一体に設けられている。
【００４２】
突出部１４ｂは、第２板１４Ｐ２の外縁であって掛止部１４ａの両端に設けられている。突出部１４ｂの先端１４ｐは、第３板１４Ｐ３と略平行になるように曲げられている。例えば、突出部１４ｂは、器具本体１０の筐体１１内の配線等を載置して固定する部分である。
【００４３】
図６（ｂ）に表すように、取付金具１４は、ネジ１４ｓを固定するネジ止め部１４ｈを用いて反射板１２に固定される。例えば、ネジ止め部１４ｈは、ネジ孔である。この例では、２つのネジ１４ｓ及びネジ止め部１４ｈがそれぞれ設けられる。ネジ１４ｓ及びネジ止め部１４ｈの数は、任意で良い。ネジ１４ｓ及びネジ止め部１４ｈの数は、それぞれ１つでも良いし、３つ以上でも良い。
【００４４】
ネジ止め部１４ｈは、第１板１４Ｐ１の中心１４ｃより第２板１４Ｐ２側に設けられている。例えば、ネジ止め部１４ｈは、第１板１４Ｐ１の中心１４ｃより弾性体４０（本体部４０ｃ）側に設けられている。第１板１４Ｐ１の中心１４ｃとは、第１板１４Ｐ１の形状を矩形状とした場合、２つの対角線の交点である。このように取付金具１４にネジ止め部１４ｈを設けることで、取付金具１４の変形を抑制することができる。
【００４５】
例えば、図７（ａ）に表すように、弾性体４０が取付金具１４に掛止して固定されている状態から方向ｄ１（照明器具１００の取り付け方向と反対方向）に光源モジュール２０に力を加える。弾性体４０の弾性力に対して所定の下向きの力を加えると、図７（ｂ）に表すように、弾性体４０が取付金具１４に掛止している仮吊りの状態になる。つまり、光源モジュール２０を器具本体１０から取り外す場合、方向ｄ１に光源モジュール２０に力を加える。
【００４６】
方向ｄ１に光源モジュール２０に力を加える場合、器具本体１０には方向ｄ２（照明器具１００の取り付け方向）に力が加わる。また、方向ｄ１に光源モジュール２０に力を加えると、取付金具１４の第１板１４Ｐ１には上方向に力が加わり、取付金具１４の第２板１４Ｐ２には下方向に力が加わる。
【００４７】
第１板１４Ｐ１の中心１４ｃより第２板１４Ｐ２側に設けられたネジ止め部１４ｈにネジ１４ｓが固定されていると、第１板１４Ｐ１の中心１４ｃ付近に設けられたネジ止め部１４ｈにネジ１４ｓが固定されている場合と比較して、光源モジュール２０に方向ｄ１の力が加わるときに取付金具１４の変形を抑制することができる。また、このようにネジ止め部１４ｈにネジ１４ｓを固定すると、ネジ止め部１４ｈと第２板１４Ｐ２との間隔が狭くなり、ネジ止め部１４ｈより第２板１４Ｐ２の反対側において、第１板１４Ｐ１と反射板１２との接触面が増加する。これにより、光源モジュール２０に方向ｄ１の力が加わるときに取付金具１４の変形を抑制することができる。
【００４８】
図８（ａ）及び図８（ｂ）に表すように、弾性体４０は、端部４０ａ、４０ｂと、本体部４０ｃと、連結部４０ｄ、４０ｅと、当接部４０ｆと、を有する。
端部４０ａ、４０ｂは、保持部材２３の固定部３１に設けられた開口部３１ａ、３１ｂにそれぞれ挿通している。また、固定部３１に設けられた屈曲部３１ｃは、本体部４０ｃに挿通している。例えば、本体部４０ｃは２つの環状体で形成され、屈曲部３１ｃは環状体の開口に挿通している。これにより、弾性体４０を固定部３１に取り付けることができる。
【００４９】
連結部４０ｄ、４０ｅは、端部４０ａ、４０ｂと、本体部４０ｃと、を連結する。連結部４０ｄ、４０ｅは、屈曲した部分を有する。例えば、連結部４０ｄ、４０ｅは、くの字形状を有する。これにより、連結部４０ｄ、４０ｅが保持部材２３の固定部３１に接触することを抑制し、弾性体４０を固定部３１に取り付ける場合に連結部４０ｄ、４０ｅをつかみ易くなる。そのため、弾性体４０を固定部３１に取り付ける場合の作業性が向上する。
【００５０】
当接部４０ｆは、第１部分４０ｆ１と、第２部分４０ｆ２と、第３部分４０ｆ３と、第４部分４０ｆ４と、によって形成されている。弾性体４０が２つのトーションバネである場合、第１部分４０ｆ１は、弾性体４０の先端側に形成され、２つのトーションバネを連結する部分である。
【００５１】
第２部分４０ｆ２は、第１部分４０ｆ１の両端に設けられている。第２部分４０ｆ２の少なくとも一部は、屈曲している。
図９に表すように、第１部分４０ｆ１及び第２部分４０ｆ２が取付金具１４の挿通孔１４ｏに挿通した後、第２部分４０ｆ２は、屈曲した部分によって取付金具１４の掛止部１４ａに掛止されて固定される。これにより、光源モジュール２０が器具本体１０に対して仮吊りの状態となる。
【００５２】
第２部分４０ｆ２が屈曲した部分を有するので、取付金具１４に弾性体４０を掛止するために、取付金具１４を加工する工程を減らすことができる。例えば、取付金具１４の一
部を曲げる工程を減らすことができる。これにより、加工時間を短縮することができる。また、製造コストを減らすことができる。
【００５３】
第３部分４０ｆ３は、第２部分４０ｆ２の一端に設けられている。第３部分４０ｆ３の少なくとも一部は、湾曲している。例えば、第３部分４０ｆ３の形状は、Ｒ形状である。このような第３部分４０ｆ３によって、仮吊りの状態から弾性力に対して所定の力を加えた場合、取付金具１４に弾性体４０を容易に挿入することができる。
【００５４】
第４部分４０ｆ４は、第３部分４０ｆ３の一端と、本体部４０ｃと、の間に設けられている。第４部分４０ｆ４が掛止部１４ａに掛止されることで取付金具１４が保持部材２３に取り付けられる。つまり、光源モジュール２０は、弾性体４０によって器具本体１０に取り付けられて固定される。
【００５５】
図１０に表すように、第４部分４０ｆ４の少なくとも一部は、直線部分４０ｌを有する。また、直線部分４０ｌは、取付金具１４の挿通孔１４ｏに対して略垂直の方向に挿通し、掛止部１４ａに対して略垂直に交差して掛止する部分である。このような直線部分４０ｌを第４部分４０ｆ４に設けると、弾性力が掛止部１４ａに方向ｄ３（照明器具１００の取り付け方向と反対方向）に加わるので、光源モジュール２０が器具本体１０に向かってより確実に吸い上がる。つまり、掛止部１４ａに加わる略垂直方向の弾性力が増加するので、光源モジュール２０が器具本体１０に向かって吸い上げる力が増加する。これにより、光源モジュール２０を器具本体１０に確実に取り付けることができる。
【００５６】
図１１（ａ）〜図１１（ｃ）は、光源モジュールと器具本体との取り付けを説明する図である。
なお、図１１（ａ）〜図１１（ｃ）において、取付金具１４を固定する反射板１２を図示していない。
【００５７】
図１１（ａ）に表すように、第１部分４０ｆ１及び第２部分４０ｆ２が取付金具１４の挿通孔１４ｏに挿通した後、第２部分４０ｆ２が取付金具１４の掛止部１４ａに掛止されて固定される。光源モジュール２０が器具本体１０に対して仮吊りの状態となる。仮吊りの状態において、器具本体１０内の配線作業等が行われる。仮吊りの状態から光源モジュール２０に上方向（矢印方向）の力を加えて押し上げる。
【００５８】
図１１（ｂ）に表すように、仮吊りの状態から光源モジュール２０に上方向（矢印方向）の力を加えて押し上げると、第３部分４０ｆ３は、挿通孔１４ｏに入り込む。つまり、弾性体４０は、取付金具１４に挿入される。
【００５９】
図１１（ｃ）に表すように、図１１（ｂ）の状態から光源モジュール２０に上方向の力をさらに加えて押し上げると、第４部分４０ｆ４が掛止部１４ａに掛止される。つまり、第４部分４０ｆ４の直線部分４０ｌは、挿通孔１４ｏに対して略垂直の方向に挿通し、掛止部１４ａに対して略垂直に交差して掛止する。光源モジュール２０が器具本体１０に向かって吸い上がることで、光源モジュール２０は器具本体１０に取り付けられて固定される。
【００６０】
本実施形態に係る照明器具１００では、光源モジュール２０に弾性体４０を設け、弾性体４０の当接部４０ｆを取付金具１４の掛止部１４ａに掛止させることで、光源モジュール２０は器具本体１０に取り付けられる。これにより、光源モジュール２０を器具本体１０に取り付ける際の作業性が改善される。
【００６１】
本実施形態によれば、施工性を向上させた照明器具が提供される。
【００６２】
（第２実施形態）
図１２は、第２実施形態の照明器具の側面図である。
図１３は、第２実施形態の照明器具の側面図である。
図１２は、照明器具１１０において、器具本体１０及び光源モジュール２０を取り外した状態を示している。図１３は、照明器具１１０において、器具本体１０及び光源モジュール２０を取り付けた状態を示している。
【００６３】
本実施形態の照明器具１１０は、取付金具及び弾性体において第１実施形態の照明器具１００と異なる。取付金具及び弾性体以外の構成は、第１実施形態の照明器具１００と同じであるので、その他の構成の詳細な説明は省略する。
【００６４】
図１２に表すように、取付金具１４Ａ１（第１取付金具）及び取付金具１４Ａ２（第２取付金具）が器具本体１０に設けられている。また、弾性体４０Ａ１（第１弾性体）及び弾性体４０Ａ２（第２弾性体）が光源モジュール２０の保持部材２３にそれぞれ設けられている。
【００６５】
図１３に表すように、取付金具１４Ａ１が一方の保持部材２３に弾性体４０Ａ１によって取り付けられ、取付金具１４Ａ２が他方の保持部材２３に弾性体４０Ａ２によって取り付けられる。これにより、光源モジュール２０は器具本体１０に取り付けられる。また、光源モジュール２０には方向ｄ４（照明器具１００の取り付け方向）に力が加わり、取付金具１４Ａ１、１４Ａ２には方向ｄ５（照明器具１００の取り付け方向と反対方向）に弾性力等の力が加わることで、光源モジュール２０は器具本体１０に固定される。
【００６６】
以下、取付金具１４Ａ１及び弾性体４０Ａ１について詳細に説明する。
【００６７】
図１４は、第２実施形態の照明器具の内部を示す図である。
図１５（ａ）〜図１５（ｃ）は、器具本体の一部を示す図である。
図１６は、器具本体の一部を説明する図である。
図１７（ａ）及び図１７（ｂ）は、光源モジュールの一部を説明する図である。
【００６８】
図１４は、照明器具１１０の内部であって、器具本体１０の取付金具１４Ａ１が光源モジュール２０の保持部材２３に弾性体４０Ａ１によって取り付けられている状態を示している。図１５（ａ）、図１５（ｂ）及び図１５（ｃ）は、取付金具１４Ａ１の斜視図、側面図及び背面図をそれぞれ示している。図１６は、取付金具１４Ａ１が筐体１１の凹部１１ａ内に取り付けられている一態様を示している。図１７（ａ）及び図１７（ｂ）は、保持部材２３に設けられた弾性体４０Ａ１の上面図及び斜視図をそれぞれ示している。
【００６９】
図１４に表すように、保持部材２３の固定部３１には、弾性体４０Ａ１が設けられている。弾性体４０Ａ１は、例えば、トーションバネである。弾性体４０Ａ１は、連結した２つのトーションバネである。弾性体４０Ａ１の一部（当接部４０ｇ）が取付金具１４Ａ１の一部（掛止部１４ａ１）に掛止されることで取付金具１４Ａ１が保持部材２３に取り付けられる。これにより、光源モジュール２０が器具本体１０に取り付けられる。
【００７０】
図１５（ａ）〜図１５（ｃ）に表すように、取付金具１４Ａ１は、掛止部１４ａ１を有する。例えば、取付金具１４Ａ１は、反射板１２に接触する第１板１４Ｐ１と、第１板１４Ｐ１上に設けられる第２板１４Ｐ２と、第２板１４Ｐ２上に設けられる第３板１４Ｐ３と、を組み合わせて形成される。第２板１４Ｐ２は、第１板１４Ｐ１に対して所定の角度で設けられ、第３板１４Ｐ３は、第２板１４Ｐ２に対して所定の角度で設けられる。例えば、第２板１４Ｐ２は、第１板１４Ｐ１に対して略垂直に設けられ、第３板１４Ｐ３は、
第２板１４Ｐ２に対して略垂直に設けられる。取付金具１４Ａ１は、複数の板を組み合わせて形成されることに限ることなく、１枚の板から形成されても良い。
【００７１】
第１板１４Ｐ１にはネジ止め部１４ｈが設けられる。例えば、取付金具１４Ａ１は、ネジ止め部１４ｈにネジを挿通して反射板１２に固定される。例えば、ネジ止め部１４ｈは、ネジ孔である。
【００７２】
第２板１４Ｐ２の外縁には切欠き凹部１４ｒが設けられる。例えば、切欠き凹部１４ｒは、反射板１２に対向する第２板１４Ｐ２の外縁に設けられる。第２板１４Ｐ２が矩形状を有する場合、切欠き凹部１４ｒは、例えば、第２板１４Ｐ２の互いに対向する辺に設けられる。
【００７３】
切欠き凹部１４ｒを設けることで、器具本体１０の筐体１１内の配線等が取付金具１４Ａ１を通過することができる。例えば、図１６に表すように、筐体１１内において、切欠き凹部１４ｒを挿通した電源ケーブル１７を配線させることができる。
【００７４】
第３板１４Ｐ３の一部には掛止部１４ａ１が設けられる。掛止部１４ａ１は、弾性体４０Ａ１を掛止する部分である。例えば、掛止部１４ａ１は、掛止片１４ｄ１、１４ｄ２と、突出片１４ｅと、を有する。掛止片１４ｄ１、１４ｄ２と、突出片１４ｅと、は、第３板１４Ｐ３の外縁を上方向（照明器具１００の取り付け方向）に所定の角度曲げることによって、それぞれ形成される。
【００７５】
掛止片１４ｄ１、１４ｄ２は、例えば、掛止舌片である。弾性体４０Ａ１の先端を引っ掛けることで、弾性体４０Ａ１が掛止片１４ｄ１、１４ｄ２に掛止される。弾性体４０Ａ１が連結した２つのトーションバネである場合、弾性体４０Ａ１の当接部４０ｇが掛止片１４ｄ１、１４ｄ２に掛止される。
【００７６】
突出片１４ｅは、器具本体１０の長手方向において掛止片１４ｄ１、１４ｄ２より突出している。また、突出片１４ｅは、器具本体１０の短手方向において２つの掛止片１４ｄ１、１４ｄ２の間に設けられる。器具本体１０の長手方向及び短手方向において、突出片１４ｅと、掛止片１４ｄ１、１４ｄ２と、の間に間隙Ｓが形成される。
【００７７】
図１７（ａ）及び図１７（ｂ）に表すように、弾性体４０Ａ１は、端部４０ａ、４０ｂと、本体部４０ｃと、連結部４０ｄ、４０ｅと、当接部４０ｇと、を有する。当接部４０ｇは、屈曲部分４０ｇ１と、固定部分４０ｇ２と、によって形成されている。屈曲部分４０ｇ１は、固定部分４０ｇ２に連結している。
【００７８】
光源モジュール２０の一端が器具本体１０の一端に近づくように器具本体１０の長手方向に光源モジュール２０をスライドすることで、屈曲部分４０ｇ１が取付金具１４Ａ１の掛止片１４ｄ１、１４ｄ２を乗り上げて通過する。これにより、屈曲部分４０ｇ１に連結した固定部分４０ｇ２は、掛止片１４ｄ１、１４ｄ２に掛止される。図１４に表すように、取付金具１４Ａ１が保持部材２３に取り付けられる。つまり、光源モジュール２０は、弾性体４０Ａ１によって器具本体１０に取り付けられて固定される。
【００７９】
図１８（ａ）〜図１８（ｃ）は、光源モジュールと器具本体との取り付けを説明する図である。
【００８０】
図１８（ａ）に表すように、取付金具１４Ａ１に光源モジュール２０を接触させるように器具本体１０に光源モジュール２０を配置する。例えば、屈曲部分４０ｇ１が取付金具１４Ａ１の掛止部１４ａ１に接触するように、器具本体１０に光源モジュール２０を配置
する。なお、屈曲部分４０ｇ１が取付金具１４Ａ１の掛止部１４ａ１に接触した状態では、取付金具１４及び弾性体４０を使用する場合、図１１（ａ）のように、第２部分４０ｆ２は取付金具１４の掛止部１４ａに掛止されて固定されている。
【００８１】
図１８（ｂ）に表すように、器具本体１０の長手方向に光源モジュール２０をスライドするように、図１８（ａ）の状態から光源モジュール２０に力を加えると、屈曲部分４０ｇ１が掛止片１４ｄ１、１４ｄ２を乗り上げる。
【００８２】
図１８（ｃ）に表すように、屈曲部分４０ｇ１が掛止片１４ｄ１、１４ｄ２を乗り上げて通過すると、固定部分４０ｇ２が掛止片１４ｄ１、１４ｄ２に掛止される。なお、屈曲部分４０ｇ１が掛止片１４ｄ１、１４ｄ２を乗り上げる際には、光源モジュール２０の反対側が持ち上がり、取付金具１４及び弾性体４０を使用する場合、図１１（ｂ）及び図１１（ｃ）のように、第３部分４０ｆ３は、挿通孔１４ｏに入り込み、第４部分４０ｆ４が掛止部１４ａに掛止される。このようにして光源モジュール２０は器具本体１０に取り付けられて固定される。
取り外す場合には、上記工程を逆の手順で行えばよい。
【００８３】
以下、取付金具１４Ａ２及び弾性体４０Ａ２について詳細に説明する。
【００８４】
図１９は、第２実施形態の照明器具の内部を示す図である。
図２０は、器具本体の一部を示す図である。
図２１（ａ）及び図２１（ｂ）は、光源モジュールの一部を説明する図である。
図２２は、光源モジュールと器具本体との取り付けを説明する図である。
【００８５】
図１９は、端板１３側からみた照明器具１１０の内部であって、器具本体１０の取付金具１４Ａ２が光源モジュール２０の保持部材２３に弾性体４０Ａ２によって取り付けられている状態を示している。図２０は、取付金具１４Ａ２を示している。図２１（ａ）及び図２１（ｂ）は、保持部材２３に設けられた弾性体４０Ａ２の上面図及び斜視図をそれぞれ示している。図２２は、弾性体４０Ａ２が取付金具１４Ａ２に掛止している状態を示している。なお、図２２において、取付金具１４Ａ２を固定する反射板１２を図示していない。
【００８６】
図１９に表すように、保持部材２３の固定部３１には、弾性体４０Ａ２が設けられている。弾性体４０Ａ２は、例えば、トーションバネである。弾性体４０Ａ２は、連結した２つのトーションバネである。弾性体４０Ａ２の一部（当接部４０ｈ）が取付金具１４Ａ２の一部（掛止部１４ａ２）に掛止されることで取付金具１４Ａ２が保持部材２３に取り付けられる。これにより、光源モジュール２０が器具本体１０に取り付けられる。
【００８７】
図２０に表すように、取付金具１４Ａ２は、掛止部１４ａ２と、突出部１４ｂと、を有する。例えば、取付金具１４Ａ２は、反射板１２に接触する略矩形状の第１板１４Ｐ１と、第１板１４Ｐ１上に設けられる略凸状の第２板１４Ｐ２と、第２板１４Ｐ２の対向する両辺に設けられる第３板１４Ｐ３と、を組み合わせて形成される。第２板１４Ｐ２は、第１板１４Ｐ１に対して所定の角度で設けられ、第３板１４Ｐ３は、第２板１４Ｐ２に対して所定の角度で設けられる。例えば、第２板１４Ｐ２は、第１板１４Ｐ１に対して略垂直に設けられ、第３板１４Ｐ３は、第２板１４Ｐ２に対して略垂直に設けられる。取付金具１４Ａ２は、複数の板を組み合わせて形成されることに限ることなく、１枚の板から形成されても良い。
【００８８】
また、取付金具１４Ａ２の第２板１４Ｐ２の中央には、挿通孔１４ｏが設けられている。例えば、挿通孔１４ｏの形状は、略凹状である。
【００８９】
掛止部１４ａ２は、第２板１４Ｐ２の一部であって弾性体４０Ａ２を掛止する部分である。例えば、掛止部１４ａ２は、略凸状を有する。取付金具１４Ａ２において、掛止部１４ａ２と、挿通孔１４ｏと、が第２板１４Ｐ２上に一体に設けられている。
【００９０】
突出部１４ｂは、第２板１４Ｐ２の外縁であって掛止部１４ａ２の両端に設けられている。突出部１４ｂの先端１４ｐは、第３板１４Ｐ３と略平行になるように曲げられている。例えば、突出部１４ｂは、器具本体１０の筐体１１内の配線等を載置して固定する部分である。
【００９１】
図２１（ａ）及び図２１（ｂ）に表すように、弾性体４０Ａ２は、端部４０ａ、４０ｂと、本体部４０ｃと、連結部４０ｄ、４０ｅと、当接部４０ｈと、を有する。
当接部４０ｈは、第１部分４０ｈ１と、第２部分４０ｈ２と、第３部分４０ｈ３と、第４部分４０ｈ４と、によって形成されている。
【００９２】
弾性体４０Ａ２が２つのトーションバネである場合、第１部分４０ｈ１は、弾性体４０Ａ２の先端側に形成され、２つのトーションバネを連結する部分である。また、図２２に表すように、第１部分４０ｈ１が取付金具１４Ａ２の掛止部１４ａ２に掛止されて固定される。これにより、光源モジュール２０が器具本体１０に対して仮吊りの状態となる。
【００９３】
第２部分４０ｈ２は、第１部分４０ｈ１の両端に設けられている。図２１（ａ）に表すように、第２部分４０ｈ２間の幅は、第１部分４０ｈ１の長さより大きく、本体部４０ｃに近づくにつれて広くなっている。例えば、第２部分４０ｈ２は、ハの字形状を有する。これにより、仮吊りの状態において弾性体４０Ａ２が取付金具１４Ａ２に入り込むことを抑制できる。つまり、弾性力に対して所定の力を弾性体４０Ａ２に加えない限り、第２部分４０ｈ２は、挿通孔１４ｏに入り込まない。
【００９４】
また、図２１（ｂ）に表すように、第２部分４０ｈ２は、本体部４０ｃに近づくにつれて上方向（照明器具１１０の取り付け方向）に傾斜している。第２部分４０ｈ２の少なくとも一部は、湾曲している。例えば、第２部分４０ｈ２の形状は、Ｒ形状である。このような第２部分４０ｈ２によって、仮吊りの状態から弾性力に対して所定の力を加えた場合、取付金具１４Ａ２に弾性体４０Ａ２を容易に挿入させることができる。
【００９５】
第３部分４０ｈ３は、第２部分４０ｈ２の一端に設けられている。図２１（ａ）に表すように、第３部分４０ｈ３間の幅は、本体部４０ｃに近づくにつれて小さくなっている。例えば、第３部分４０ｈ３は、逆ハの字形状を有する。
【００９６】
また、図２１（ｂ）に表すように、第３部分４０ｈ３は、本体部４０ｃに近づくにつれて下方向（照明器具１１０の取り付け方向と反対方向）に傾斜している。第３部分４０ｈ３の少なくとも一部は、湾曲している。例えば、第３部分４０ｈ３の形状は、Ｒ形状である。
【００９７】
第４部分４０ｈ４は、第３部分４０ｈ３の一端と、本体部４０ｃと、の間に設けられている。第４部分４０ｈ４が掛止部１４ａ２に掛止されることで取付金具１４Ａ２が保持部材２３に取り付けられる。つまり、光源モジュール２０は、弾性体４０Ａ２によって器具本体１０に取り付けられて固定される。
【００９８】
このような第３部分４０ｆ３及び第４部分４０ｆ４によって、光源モジュール２０が器具本体１０に向かって吸い上がり、光源モジュール２０を器具本体１０に確実に取り付けることができる。
【００９９】
図２３（ａ）〜図２３（ｃ）は、光源モジュールと器具本体との取り付けを説明する図である。
なお、図２３（ａ）〜図２３（ｃ）において、取付金具１４Ａ２を固定する反射板１２を図示していない。
【０１００】
図２３（ａ）に表すように、第１部分４０ｈ１が取付金具１４Ａ２の掛止部１４ａ２に掛止されて固定される。光源モジュール２０が器具本体１０に対して仮吊りの状態となる。仮吊りの状態において、器具本体１０内の配線作業等が行われる。仮吊りの状態から光源モジュール２０に上方向（矢印方向）の力を加えて押し上げる。
【０１０１】
図２３（ｂ）に表すように、仮吊りの状態から光源モジュール２０に上方向（矢印方向）の力を加えて押し上げると、第２部分４０ｈ２は、挿通孔１４ｏに入り込む。つまり、弾性体４０Ａ２は、取付金具１４Ａ２に挿入される。
【０１０２】
図２３（ｃ）に表すように、図２３（ｂ）の状態から光源モジュール２０に上方向の力をさらに加えて押し上げると、第３部分４０ｈ３が挿通孔１４ｏに入り込み、第４部分４０ｈ４が掛止部１４ａ２に掛止される。光源モジュール２０が器具本体１０に向かって吸い上がることで、光源モジュール２０は器具本体１０に取り付けられて固定される。
【０１０３】
図１８及び図２３のように、光源モジュール２０に設けられた２つの弾性体４０Ａ１、４０Ａ２が器具本体１０の取付金具１４Ａ１、１４Ａ２にそれぞれ掛止することで、光源モジュール２０は器具本体１０に取り付けられる。例えば、取付金具１４Ａ１に弾性体４０Ａ１を掛止させた後、取付金具１４Ａ２に弾性体４０Ａ２を掛止させることで光源モジュール２０は器具本体１０に取り付けられる。
【０１０４】
本実施形態に係る照明器具１１０では、光源モジュール２０に弾性体４０Ａ１、４０Ａ２を設けている。また、弾性体４０Ａ１の当接部４０ｇを取付金具１４Ａ１の掛止部１４ａ１に掛止させ、弾性体４０Ａ２の当接部４０ｈを取付金具１４Ａ２の掛止部１４ａ２に掛止させることで、光源モジュール２０は器具本体１０に取り付けられる。これにより、光源モジュール２０を器具本体１０に取り付ける際の作業性が改善される。
【０１０５】
例えば、光源モジュール２０に弾性体４０Ａ１、４０Ａ２を設けていると、光源モジュール２０を支えながら弾性体４０Ａ１、４０Ａ２を持ち上げ、器具本体１０の取付金具１４Ａ１、１４Ａ２に弾性体４０Ａ１、４０Ａ２を掛止することができる。これにより、器具本体１０に光源モジュール２０を取り付け易い。
また、器具本体１０に光源モジュール２０を取り付ける際に、取付金具１４Ａ１、１４Ａ２に弾性体４０Ａ１、４０Ａ２をそれぞれ掛止させることで、光源モジュール２０と器具本体１０との間に構成部品の寸法公差等による隙間が発生し難くなる。これにより、照明器具１００の外観が損なわれ難い。
【０１０６】
また、本実施形態に係る照明器具１１０では、電源回路１５が筐体１１の凹部１１ａ内に取り付けられている。これにより、光源モジュール２０を器具本体１０に取り付ける際の作業性が改善される。
【０１０７】
例えば、電源回路１５が筐体１１の凹部１１ａ内に設けられていると、光源モジュール２０が器具本体１０に対して仮吊りの状態の場合、器具本体１０と光源モジュール２０との間のスペースは制限され難い。光源モジュール２０に電源回路１５を設けなくて良いので光源モジュール２０が軽量化される。また、光源モジュール２０内のスペースを確保し易いので、光源モジュール２０に弾性体４０Ａ１、４０Ａ２を容易に設けることができる
。
【０１０８】
本実施形態によれば、施工性を向上させた照明器具が提供される。
【０１０９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１０】
１０…器具本体、  １１…筐体、  １１ａ…凹部、  １２…反射板、  １２ｆ、３１ｃ…屈曲部、  １３…端板、  １４、１４Ａ１、１４Ａ２…取付金具、  １４ａ、１４ａ１、１４ａ２…掛止部、  １４ｂ…突出部、  １４ｃ…中心、  １４ｄ１、１４ｄ２…掛止片、  １４ｅ…突出片、  １４ｈ…ネジ止め部、  １４ｏ…挿通孔、  １４ｐ…先端、  １４ｒ…切欠き凹部、  １４ｓ…ネジ、  １４Ｐ１〜１４Ｐ３…第１板〜第３板、  １５…電源回路、  １６…端子台、  １７…電源ケーブル、  ２０…光源モジュール、  ２１…支持体、  ２１ａ、２５ａ…第１面、  ２１ｂ、２５ｂ…第２面、  ２２…カバー、  ２３…保持部材、  ２４…側板、  ２５…基板、  ２６…光源、  ３０…把持部、  ３０ａ…抑え部、  ３１…固定部、  ３１ａ、３１ｂ…開口部、  ４０、４０Ａ１、４０Ａ２…弾性体、  ４０ａ、４０ｂ…端部、  ４０ｃ…本体部、  ４０ｄ、４０ｅ…連結部、  ４０ｆ、４０ｇ、４０ｈ…当接部、  ４０ｆ１〜４０ｆ４、４０ｈ１〜４０ｈ４…第１部分〜第４部分、  ４０ｇ１…屈曲部分、  ４０ｇ２…固定部分、  ４０ｌ…直線部分、  １００、１１０…照明器具、  ｄ１〜ｄ５…方向、  Ｓ…間隙
【図１】
2020074349.tif 000003
【図２】
2020074349.tif 000004
【図３】
2020074349.tif 000005
【図４】
2020074349.tif 000006
【図５】
2020074349.tif 000007
【図６】
2020074349.tif 000008
【図７】
2020074349.tif 000009
【図８】
2020074349.tif 000010
【図９】
2020074349.tif 000011
【図１０】
2020074349.tif 000012
【図１１】
2020074349.tif 000013
【図１２】
2020074349.tif 000014
【図１３】
2020074349.tif 000015
【図１４】
2020074349.tif 000016
【図１５】
2020074349.tif 000017
【図１６】
2020074349.tif 000018
【図１７】
2020074349.tif 000019
【図１８】
2020074349.tif 000020
【図１９】
2020074349.tif 000021
【図２０】
2020074349.tif 000022
【図２１】
2020074349.tif 000023
【図２２】
2020074349.tif 000024
【図２３】
2020074349.tif 000025